【事件の表示】
　特願２００６−１３２３６４「液晶表示装置および液晶パネル駆動方法」拒絶査定不服審判事件〔平成１９年１１月２２日出願公開、特開２００７−３０４３２５〕について、次のとおり審決する。
【結　論】
　本件審判の請求は、成り立たない。
【理　由】
１　手続の経緯
　平成１８年　５月１１日　特許出願
　平成２０年　６月　５日　拒絶理由通知（同年６月１１日発送）
　平成２０年　８月　５日　意見書・手続補正書
　平成２１年　９月　１日　拒絶査定（同年９月９日送達）
　平成２１年１２月　９日　本件審判請求・手続補正書
　平成２２年１１月　８日　審尋（同年１１月１０日発送）
　平成２３年　１月　７日　回答書
　
２　平成２１年１２月９日付け手続補正について
２−１　本件補正の概要
　平成２１年１２月９日付け手続補正（以下「本件補正」という。）は、補正前の特許請求の範囲の請求項１に
　
「　液晶パネルを備える液晶表示装置であって、
　前記液晶パネルを構成する複数の液晶セルが共通に接続されたコモン電極に一定のコモン電圧を供給するコモン電圧生成回路と、
　外部から入力された映像信号に応じた電圧を前記複数の液晶セルに供給して前記液晶パネルに画像を表示させるとともに、前記複数の液晶セルに供給される電圧の極性を所定の周期で反転させるための制御を行う液晶駆動回路と、
　前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路と、
　前記液晶セルに供給される電圧の極性及び振幅に起因する明るさの変動を補正するための特性データを記憶する記憶部を備え、前記補正回路にて補正された映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する調整部と、を有する液晶表示装置。」
　
とあるものを、
　
「　液晶パネルを備える液晶表示装置であって、
　前記液晶パネルを構成する複数の液晶セルが共通に接続されたコモン電極に一定のコモン電圧を供給するコモン電圧生成回路と、
　外部から入力された映像信号に応じた電圧を前記複数の液晶セルに供給して前記液晶パネルに画像を表示させるとともに、前記複数の液晶セルに供給される電圧の極性を所定の周期で反転させるための制御を行う液晶駆動回路と、
　前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路と、
　
前記補正回路の後段に設けられた調整部と、を有し、
　
前記調整部は、
、
　
とする補正事項を含んでいる。
　
２−２　補正の適否
　上記特許請求の範囲の請求項１についてする補正は、「調整部」が「前記補正回路の後段に設けられた」ことを明確にする補正であるから、明りようでない記載の釈明を目的とする補正であり、また、本願の願書に最初に添付した明細書、特許請求の範囲又は図面に記載された事項の範囲内においてするものであることは明らかである。
　従って、本件補正のうち特許請求の範囲の請求項１についてする補正は、平成１８年法律第５５号改正附則第３条第１項によりなお従前の例によるとされる同法による改正前の特許法（以下、「平成１８年改正前特許法」という。）第１７条の２第４項第４号に規定する明りようでない記載の釈明を目的とする補正であり、同条第３項に規定する要件を満たすものである。
　よって、上記特許請求の範囲の請求項１についてする補正は、適法な補正である。
　
３　本願発明
　本願の特許請求の範囲の請求項１に係る発明は、本件補正後の請求項１に記載された事項により特定されるとおりのものであるところ、請求項１の記載は以下のとおりである。
「液晶パネルを備える液晶表示装置であって、
　前記液晶パネルを構成する複数の液晶セルが共通に接続されたコモン電極に一定のコモン電圧を供給するコモン電圧生成回路と、
　外部から入力された映像信号に応じた電圧を前記複数の液晶セルに供給して前記液晶パネルに画像を表示させるとともに、前記複数の液晶セルに供給される電圧の極性を所定の周期で反転させるための制御を行う液晶駆動回路と、
　前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路と、
　前記補正回路の後段に設けられた調整部と、を有し、
　前記調整部は、前記液晶セルに供給される電圧の極性及び振幅に起因する明るさの変動を補正するための特性データを記憶する記憶部を備え、前記補正回路にて補正された映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する、液晶表示装置。」（以下「本願発明」という。）　
　
４　引用する刊行物とその記載事項
　原査定の拒絶の理由に引用され、本願の出願前に日本国内で頒布された特開２００１−２０１７３２号公報（以下「刊行物」という。）には、図面とともに以下の事項が記載されている。
　
ア　発明の属する技術分野についての記載
　「【０００１】
【発明の属する技術分野】本発明は、いわゆるアクティブマトリクス型の液晶画像表示装置に関し、特に液晶の非線形な変調率対印加電圧特性を補正して階調補正処理を行う液晶表示装置に関する。」
　
イ　従来の技術についての記載
　「【０００２】
【従来の技術】図７は、一般的なアクティブマトリクス型液晶表示装置の構成例を示す。この図７において、アクティブマトリクス型液晶表示装置のアクティブマトリクス基板上には、複数の列信号電極Ｄ1〜Ｄ1365(+3)（以下、総称してＤという。）が並行して配置され、これら各列信号電極Ｄ１〜Ｄ1365(+3)（以下、総称してＤという。）とそれぞれ直交する方向に複数の行走査電極Ｇ1〜Ｇ1024(+4)が配置されている。各列信号電極Ｄと行走査電極Ｇの交差部には、スイッチングトランジスタＴｒおよび補助容量ＣＳを含んだ表示画素ＰＸが形成されている。
【０００３】Ｈドライバ８０は、列信号電極駆動回路であり、図示しない水平シフトレジスタと各列信号電極に対応する複数のスイッチ素子で構成されている。各スイッチ素子の入力側は８相のビデオ信号が供給される表示信号供給配線に共通に接続され、出力側は各々対応する列信号電極Ｄに接続されている。また、各スイッチ素子の制御端子には、水平シフトレジスタの出力が接続されている。
【０００４】このような構成のＨドライバ８０では、駆動タイミングパルス発生回路８２より供給される水平スタート信号ＨＳＴおよび水平シフトクロックＨＣ１，ＨＣ２で水平シフトレジスタを駆動し、各スイッチ素子を順次オンすることにより、１水平期間のビデオ信号を順次列信号電極Ｄにサンプリングする。
【０００５】一方、Ｖドライバ８１は、行走査電極駆動回路であり、全表示行数に相当する段数を有する図示しない垂直シフトレジスタを含んで構成されている。垂直シフトレジスタは、駆動タイミングパルス発生回路８３より供給される垂直スタート信号ＶＳＴおよび垂直シフトクロックＶＣ１，ＶＣ２により駆動され、各行走査電極Ｇに対して１水平期間毎に順次走査パルスを出力する。
【０００６】その結果、各行走査電極Ｇに接続した画素スイッチングトランジスタＴｒが１行ずつ順次オンとなり、前記各列信号電極Ｄにサンプリングしたビデオ信号の電圧が隣接する画素の補助容量ＣＳに蓄積／保持される。これにより、各画素ＰＸでは、画素電極と共通電極間の電圧が液晶に印加され、それに応じて液晶の光変調度が変化することになり、画像が表示されることになる。
【０００７】次に、図８はアクティブマトリクス型液晶表示装置の表示素子部の構成を示している。この図８において、当該アクティブマトリクス型液晶表示装置の表示素子部は、複数の画素電極９１をマトリクス状に配列したアクティブマトリクス基板９２と、液晶層９４と、当該液晶層９４を挟むように配された配向膜９３と、透明共通電極を形成した薄板ガラス層９５と、対向電極９６とを積層した積層構成となっている。アクティブマトリクス基板９２上に設けられる画素電極９１は、各々Ｒ（赤），Ｇ（緑），Ｂ（青）の原色信号に対応するように繰り返し配列されている。液晶層９４では、Ｒ，Ｇ，Ｂ各画素に供給する信号電圧に応じて入射光が変調され、各画素電極９１で反射したＲ，Ｇ，Ｂの各出力光を適当な検出手段で強度情報に変換することにより、カラー画像が表示される。
【０００８】次に、図９にアクティブマトリクス型液晶表示装置の従来の信号処理回路１００の構成を示す。この図９において、信号処理回路１００に供給された画像信号は、階調補正回路１０３に供給される。階調補正回路１０３は、画像信号に対して、液晶の非線形な変調率対印加電圧特性（ＶＴ特性）を補正するための階調補正処理を施す。この階調補正処理後の信号は、極性反転回路１０４に供給される。
【０００９】極性反転回路１０４は、垂直走査周期毎に所定の電位レベルに対して極性を切り換える極性切換信号に応じて、階調補正回路１０３の出力信号の極性を切り換える（極性を反転する）。当該極性反転回路１０４の出力信号は、液晶駆動回路１０５に供給される。
【００１０】液晶駆動回路１０５は、極性反転回路１０４の出力信号に基づいて、後段のアクティブマトリクス型液晶表示素子１０６の液晶部の容量性負荷を駆動するための表示用画像信号を生成し、当該表示用画像信号をアクティブマトリクス型液晶表示素子１０６に対して出力する。
【００１１】図１０には、図９の信号処理回路１００の更に具体的な回路構成を示す。
【００１２】この図１０において、信号処理回路１００に供給された画像信号は、まず、Ａ−Ｄ（アナログ−デジタル）コンバータ１１３に供給される。当該Ａ−Ｄコンバータ１１３は、アナログの画像信号をデジタル信号に変換する。Ａ−Ｄコンバータ１１３から出力されたデジタル信号は、図９の階調補正回路１０３の主要部に相当するＬＵＴ回路１１４に供給される。
【００１３】当該ＬＵＴ回路１１４は、液晶の非線形な変調率対印加電圧特性を補正するためのルックアップテーブル（以下、適宜ＬＵＴとする）を備えており、供給されたデジタル信号に対応するルックアップテーブルのデータ信号を読み出す。すなわち、この読み出されたルックアップテーブルのデータ信号は、入力画像信号に対して液晶の非線形な変調率対印加電圧特性の階調補正が施された信号となる。ＬＵＴ回路１１４から出力された信号は、非反転バッファ１１５と反転バッファ１１６に供給される。
【００１４】非反転バッファ１１５の出力信号は、２つの入力を交互に切り換えて１つの出力とする２ツウ１（２to１）マルチプレクサ１１７の一方の被選択端子ａに供給し、反転バッファ１１６の出力信号は、マルチプレクサ１１７の他方の被選択端子ｂに供給される。
【００１５】マルチプレクサ１１７は、極性切換信号に応じて、被選択端子ａ又はｂに供給された信号を交互に選択して出力する。当該マルチプレクサ１１７の出力信号は、Ｄ−Ａ（デジタル−アナログ）コンバータ１１８に送られる。
【００１６】Ｄ−Ａコンバータ１１８は、供給されたデジタル信号をアナログ信号に変換し、そのアナログ信号をプッシュプル回路１１９に送る。
【００１７】プッシュプル回路１１９は、図９の液晶駆動回路１０５に相当し、供給されたアナログ信号に応じて後段のアクティブマトリクス型液晶表示素子１０６の液晶部を駆動する表示用画像信号を生成する。この表示用画像信号は、図９のアクティブマトリクス型液晶表示素子１０６に供給される。
【００１８】次に、図１１には、図１０のＬＵＴ回路１１４の具体的構成例を示す。この図１１において、ＬＵＴ回路１１４は、ルックアップテーブルを保持するリードオンリメモリ（以下、ＲＯＭ１３０とする）からなり、当該ＲＯＭ１３０のアドレスピンに、図１０のＡ−Ｄコンバータ１１３にてデジタル化された画像信号がアドレス信号として供給される。
【００１９】従って、当該ＲＯＭ１３０のデータピンからは、アドレスピンに供給されたアドレス信号（Ａ−Ｄコンバータ１１３からのデジタル信号）に応じたルックアップテーブルのデータ信号が出力されることになる。このルックアップテーブル出力信号は、図１０の非反転バッファ１１５及び反転バッファ１１６に送られる。
【００２０】図１２には、ルックアップテーブルによる階調補正カーブを示す。この図１２に示す階調補正カーブは、一般的には液晶の非線形な変調率対印加電圧特性の逆カーブと相似形である。
【００２１】次に、図１３には、図９の液晶駆動回路１０５（図１０のプッシュプル回路１１９）から出力されてアクティブマトリクス型液晶表示素子１０６に供給される表示用画像信号を示す。
【００２２】この図１３に示す表示用画像信号は、極性切換信号で切り換えられた正極期間の信号と負極期間の信号とからなる信号である。すなわち、表示用画像信号は、垂直走査周期に対応する極性切換信号により、所定の中心電位レベルに対して極性反転された信号（垂直走査期間毎に正極期間と負極期間を繰り返す信号）である。
【００２３】ここで、表示用画像信号の中心電位を共通電極電位（ＣＯＭ電位）に一致させることで、アクティブマトリクス型液晶表示素子１０６の液晶部には、交流の画像信号電圧が印加されることになる。
【００２４】これにより、アクティブマトリクス型液晶表示素子１０６の液晶部には直流電圧が印加されないことになり、従って、図９及び図１０に示した信号処理回路１００による液晶駆動方法は、フリッカレスで且つ液晶の長寿命化を可能とした駆動方法として知られている。
【００２５】なお、上述したような液晶駆動方法については、特願平１０−１９８９４４号の明細書及び図面のアクティブマトリクス型液晶表示装置に詳細が記載されている。」
　
ウ　発明が解決しようとする課題についての記載
　「【００２６】
【発明が解決しようとする課題】ところで、近年は、表示画像の高精細化による画素電極の高密度化、すなわち画素トランジスタの小型化によって、画素部の寄生容量が増加し、画素部での信号電流リークが問題となっている。
【００２７】また、近年は、表示画像の高輝度化により、画素部へ照射する光強度が増加し、その結果、画素部の光リークによる異常電流（リーク電流）の発生も問題となっている。
【００２８】図１４を用いてこれら２種類のリーク問題について説明する。
【００２９】例えば、図１４の（ａ）に示すような階調の表示用画像信号を液晶表示素子に供給し、前記２種類のリークが発生したとき、画素電極に印加される電圧は、図１４の（ｂ）に示すように、ある極性の方向に電圧変化（降下）することになる。この状態で表示される画像は、図１４の（ｃ）に示すように、正極期間ではＩ（＋）、負極期間ではＩ（−）のように階調の異なる光強度となり、Ｉ（＋）とＩ（−）の差がフリッカとなる。またこのとき、図１４の（ｂ）の表示用画像信号中心電位と画素電極電圧の中心電位の差の電圧が、直流電圧成分として液晶に印加されるため、液晶の低寿命化につながる。
【００３０】本発明では、上述の課題に鑑みてなされたものであり、このリーク電流分を抑制するように電圧を補正することにより、フリッカレス化、液晶の長寿命化を可能とする、液晶表示装置の提供を目的とする。」
　
エ　課題を解決するための手段についての記載
　「【００３１】
【課題を解決するための手段】請求項１記載の本発明に係る液晶表示装置は、上述の課題を解決するために、アクティブマトリクス型液晶素子を備え、入力画像信号から当該アクティブマトリクス型液晶素子を駆動するための表示用画像信号を生成する液晶表示装置において、前記アクティブマトリクス型液晶素子の第１の非線形特性を補正するための第１の補正処理を前記入力画像信号に対して施す第１の補正手段と、前記アクティブマトリクス型液晶素子の第２の非線形特性を補正するための第２の補正処理を前記入力画像信号に対して施す第２の補正手段と、前記第１の補正処理後の画像信号と、前記第２の補正処理後の画像信号を、垂直走査周期毎の所定の切換信号に応じて交互に選択する選択手段とを有し、前記交互に選択された補正処理後の画像信号から前記表示用画像信号を生成する。
…」
　
オ　発明の第１の実施の形態についての記載
　「【００３３】
【発明の実施の形態】以下、本発明にかかる液晶表示装置の好ましい実施の形態について図面を参照しながら詳細に説明する。まず、図１に本発明の第１の実施の形態となるアクティブマトリクス型液晶表示装置の信号処理回路１０の構成を示す。
【００３４】この図１において、信号処理回路１０に供給された画像信号は、まず、Ａ−Ｄコンバータ１１に供給される。当該Ａ−Ｄコンバータ１１は、アナログの画像信号をデジタル信号に変換する。Ａ−Ｄコンバータ１１から出力されたデジタル信号は、階調補正手段の主要部である第１のＬＵＴ回路１２と第２のＬＵＴ回路１３の２つのＬＵＴ回路に供給される。
【００３５】第１のＬＵＴ回路１２と第２のＬＵＴ回路１３は、それぞれが液晶の非線形な変調率対印加電圧特性（ＶＴ特性）を補正するためのルックアップテーブル（ＬＵＴ）を備えている。但し、本実施の形態の場合、第１のＬＵＴ回路１２と第２のＬＵＴ回路１３の２つのルックアップテーブルはそれぞれ入出力特性が異なるものであり、例えば正極期間では第１のＬＵＴ回路１２のルックアップテーブルの入出力特性が使用され、負極期間では第２のＬＵＴ回路１３のルックアップテーブルの入出力特性が使用されるようになされている。従って、これら第１のＬＵＴ回路１２と第２のＬＵＴ回路１３の各々のルックアップテーブルの入出力特性は、前記リークを補正する各々の極性に応じた特性となるように設定されている。なお、第１のＬＵＴ回路１２と第２のＬＵＴ回路１３は、それぞれ例えば前記図１１に示したようなルックアップテーブルを保持するＲＯＭにより構成することができる。
【００３６】供給されたデジタル信号に対応して第１のＬＵＴ回路１２から読み出されたルックアップテーブルのデータ信号は、非反転バッファ１４を介して、２ツウ１（２to１）マルチプレクサ１６の一方の被選択端子ａに供給し、一方、供給されたデジタル信号に対応して第２のＬＵＴ回路１３から読み出されたルックアップテーブルのデータ信号は、反転バッファ１５を介して、マルチプレクサ１６の他方の被選択端子ｂに供給される。
【００３７】マルチプレクサ１６は、垂直走査周期に対応する極性切換信号に応じて、被選択端子ａ又はｂに供給された信号を交互に選択して出力する。当該マルチプレクサ１６の出力信号は、Ｄ−Ａコンバータ１７に送られる。
【００３８】Ｄ−Ａコンバータ１７は、供給されたデジタル信号をアナログ信号に変換し、そのアナログ信号をプッシュプル回路１８に送る。
【００３９】プッシュプル回路１８は、前述同様の液晶駆動回路であり、供給されたアナログ信号に応じて後段のアクティブマトリクス型液晶表示素子の液晶部を駆動する表示用画像信号を生成する。この表示用画像信号は、例えば前述した図９と同様のアクティブマトリクス型液晶表示素子（１０６）に供給される。
【００４０】図２には、当該第１の実施の形態における第１のＬＵＴ回路１２と第２のＬＵＴ回路１３がそれぞれ保持するルックアップテーブルによる階調補正カーブ（入出力特性）を示す。この図２に示す各階調補正カーブは、液晶の非線形な変調率対印加電圧特性の逆カーブと相似形である。
【００４１】ここで、前述した図１４の（ｂ）によれば、正極期間ではリークによって、実際に液晶表示素子に供給された表示用画像信号よりも低い信号電位となっているため、第１のＬＵＴ回路１２のルックアップテーブルでは、この信号電位の低い分を補正する分も考慮した入出力特性カーブとなされている。
【００４２】また、前述した図１４の（ｂ）によれば、負極期間でも同様のリークによって、実際に液晶表示素子に供給された表示用画像信号よりも高い信号電位となるため、第２のＬＵＴ回路１３のルックアップテーブルでは、この信号電位の高い分を補正する分も考慮した入出力特性カーブとなされている。
【００４３】当該第１の実施の形態においては、上述したように、ルックアップテーブルを２個（第１のＬＵＴ回路１２と第２のＬＵＴ回路１３のルックアップテーブル）とし、第１のＬＵＴ回路１２のルックアップテーブルと第２のＬＵＴ回路１３のルックアップテーブルの入出力特性を異ならせ、例えば正極期間では第１のＬＵＴ回路１２のルックアップテーブル、負極期間では第２のＬＵＴ回路１３のルックアップテーブルの入出力特性を使用するようにし、各々のルックアップテーブルの入出力特性を前記リークを補正する各極性に応じた特性となるように設定することにより、図１４の（ｃ）で示した光強度差Ｉ（＋）−Ｉ（−）を無くすことができるため、フリッカレスな液晶表示を実現することができ、また、表示用画像信号の中心電位と画素電極電圧の中心電位の差も無くすことができるため、直流電圧成分の発生を抑えることができ、その結果、液晶の長寿命化をも実現可能となっている。」
　
カ　発明の効果についての記載
　「【００５７】
【発明の効果】請求項１記載の本発明に係る液晶表示装置は、アクティブマトリクス型液晶素子の第１の非線形特性を補正するための第１の補正処理を入力画像信号に対して施す第１の補正手段と、第２の非線形特性を補正するための第２の補正処理を入力画像信号に対して施す第２の補正手段と、第１の補正処理後の画像信号と第２の補正処理後の画像信号を垂直走査周期毎の所定の切換信号に応じて交互に選択する選択手段とを有し、交互に選択された補正処理後の画像信号から前記表示用画像信号を生成することにより、フリッカレスの良好な画像を表示可能とすることができ、また、液晶の長寿命化も図ることができる。
…
【００５９】すなわち、本発明の液晶表示装置は、表示用画像信号の極性に応じて生じる容量性負荷による電流リークや光リークで生じるフリッカと、液晶に印加される直流電圧成分で生じる液晶の低寿命化を抑制した液晶表示装置を実現することができる。また、表示用画像信号の極性に応じて生じる容量性負荷による電流リークや光リークで生じるフリッカと液晶に印加される直流電圧成分で生じる液晶の短寿命化を抑制し、液晶表示装置の小型化を図ることができる。」
　
キ　図面の簡単な説明についての記載
「【図面の簡単な説明】
【図１】本発明の第１の実施の形態となるアクティブマトリクス型液晶表示装置の信号処理回路の構成を示すブロック図である。
【図２】前記信号処理回路の第１，第２のＬＵＴ回路の入出力特性（階調補正カーブ）の説明に用いる図である。
【図３】本発明の第２の実施の形態となるアクティブマトリクス型液晶表示装置の信号処理回路の構成を示すブロック図である。
【図４】前記信号処理回路のＬＵＴ回路の具体的構成例を示すブロック図である。
【図５】前記ＬＵＴ回路の具体的構成例であるＲＯＭのアドレスマップを示す図である。
【図６】前記ＬＵＴ回路の入出力特性（階調補正カーブ）の説明に用いる図である。
【図７】アクティブマトリクス型液晶表示素子の全体構成を示す図である。
【図８】アクティブマトリクス型液晶表示素子の側面図である。
【図９】一般的なアクティブマトリクス型液晶表示装置の信号処理回路の概略構成を示すブロック図である。
【図１０】従来のアクティブマトリクス型液晶表示装置の信号処理回路の具体的構成を示すブロック図である。
【図１１】従来の信号処理回路のＬＵＴ回路の具体的構成例を示すブロック図である。
【図１２】従来の信号処理回路のＬＵＴ回路の入出力特性（階調補正カーブ）の説明に用いる図である。
【図１３】信号処理回路内の液晶駆動回路（プッシュプル回路）から出力されてアクティブマトリクス型液晶表示素子に供給される表示用画像信号を示す。
【図１４】２種類のリーク問題についての説明に用いる図である。」
　
ク　図７の「アクティブマトリクス型液晶表示素子の全体構成を示す図」より看取できる事項
　図７について説明する記載「【０００２】【従来の技術】…。この図７において、…。…、スイッチングトランジスタＴｒおよび補助容量ＣＳを含んだ表示画素ＰＸが形成されている。」、図７中に記載されている「ＣＯＭ」について説明する記載「【００２３】…を共通電極電位（ＣＯＭ電位）に一致させることで、…。」を併せると、図７には、アクティブマトリクス型液晶表示素子の有効画素領域に配置された複数の表示画素の補助容量の一端を共通に接続し、共通電極（ＣＯＭ）電位を印加している図が描かれている。
　
５　記載事項の検討と引用発明
５−１　記載事項の検討
　以下、刊行物に記載された第１の実施の形態の「アクティブマトリクス型液晶表示装置」について、記載事項を検討する。その際、第１の実施の形態を説明する記載中に、「【００３９】…。この表示用画像信号は、例えば前述した図９と同様のアクティブマトリクス型液晶表示素子（１０６）に供給される。」との記載があり、第１の実施の形態の「アクティブマトリクス型液晶表示素子（１０６）」は図９に示す従来のものと同様である。したがって、第１の実施の形態におけるアクティブマトリクス型液晶表示素子（１０６）の構成は、【従来の技術】のアクティブマトリクス型液晶表示素子を説明する記載（段落【０００２】〜段落【００２５】、図７〜図１４）を参酌する。
　
（１）　刊行物における「【０００７】次に、図８はアクティブマトリクス型液晶表示装置の表示素子部の構成を示している。」との記載から、刊行物には、表示素子部を備えるアクティブマトリクス型液晶表示装置が開示されている。
　ここで、刊行物には、「【図面の簡単な説明】…【図８】アクティブマトリクス型液晶表示素子の側面図である。…」との記載があり、図８の同一の部材に対して「表示素子部」の用語と「アクティブマトリクス型液晶表示素子」の用語が使用されている。従って、「表示素子部」と「アクティブマトリクス型液晶表示素子」は、同じ意味を有する用語であると解される。
　以上のことから、刊行物には、「アクティブマトリクス型液晶表示素子を備えるアクティブマトリクス型液晶表示装置」が開示されている。
　
（２）　刊行物には、「【００３３】【発明の実施の形態】…。まず、図１に本発明の第１の実施の形態となるアクティブマトリクス型液晶表示装置の信号処理回路１０の構成を示す。【００３４】この図１において、信号処理回路１０に供給された画像信号は、まず、Ａ−Ｄコンバータ１１に供給される。当該Ａ−Ｄコンバータ１１は、アナログの画像信号をデジタル信号に変換する。」との記載がある。また、信号処理回路に供給される画像信号が、アクティブマトリクス型液晶表示装置の外部から入力されることは技術常識である。してみると、刊行物には、「外部から入力されたアナログの画像信号をデジタル信号に変換するＡ−Ｄコンバータ」が開示されている。
　
（３）　刊行物には、「【００３４】…。Ａ−Ｄコンバータ１１から出力されたデジタル信号は、階調補正手段の主要部である第１のＬＵＴ回路１２と第２のＬＵＴ回路１３の２つのＬＵＴ回路に供給される。【００３５】第１のＬＵＴ回路１２と第２のＬＵＴ回路１３は、それぞれが液晶の非線形な変調率対印加電圧特性（ＶＴ特性）を補正するためのルックアップテーブル（ＬＵＴ）を備えている。…。【００３６】供給されたデジタル信号に対応して第１のＬＵＴ回路１２から読み出されたルックアップテーブルのデータ信号は、…供給されたデジタル信号に対応して第２のＬＵＴ回路１３から読み出されたルックアップテーブルのデータ信号は、…」との記載がある。前記記載から、刊行物には、「Ａ−Ｄコンバータのデジタル信号出力を入力し、その備えるルックアップテーブルのデータ信号を出力する第１のＬＵＴ回路」、「Ａ−Ｄコンバータのデジタル信号出力を入力し、その備えるルックアップテーブルのデータ信号を出力する第２のＬＵＴ回路」が開示されている。
　
（４）　刊行物には、「【００３６】供給されたデジタル信号に対応して第１のＬＵＴ回路１２から読み出されたルックアップテーブルのデータ信号は、非反転バッファ１４を介して、２ツウ１（２to１）マルチプレクサ１６の一方の被選択端子ａに供給し、一方、供給されたデジタル信号に対応して第２のＬＵＴ回路１３から読み出されたルックアップテーブルのデータ信号は、反転バッファ１５を介して、マルチプレクサ１６の他方の被選択端子ｂに供給される。【００３７】マルチプレクサ１６は、垂直走査周期に対応する極性切換信号に応じて、被選択端子ａ又はｂに供給された信号を交互に選択して出力する。」との記載がある、該記載から、刊行物には、「第１のＬＵＴ回路の出力を非反転バッファを介して被選択端子ａに入力すると共に、第２のＬＵＴ回路の出力を反転バッファを介して被選択端子ｂに入力し、極性切換信号に応じて、被選択端子ａ又はｂに供給された信号を交互に選択して出力するマルチプレクサ」が開示されている。ここで、刊行物には、「【００３５】…、本実施の形態の場合、第１のＬＵＴ回路１２と第２のＬＵＴ回路１３の２つのルックアップテーブルはそれぞれ入出力特性が異なるものであり、例えば正極期間では第１のＬＵＴ回路１２のルックアップテーブルの入出力特性が使用され、負極期間では第２のＬＵＴ回路１３のルックアップテーブルの入出力特性が使用されるようになされている。」との記載があるから、マルチプレクサの極性切換信号に応じた被選択端子ａ又はｂに供給された信号の選択は、正極期間では被選択端子ａに供給された信号であり、負極期間では被選択端子ｂに供給された信号である。
　してみると、刊行物には、「第１のＬＵＴ回路の出力を非反転バッファを介して被選択端子ａに入力すると共に、第２のＬＵＴ回路の出力を反転バッファを介して被選択端子ｂに入力し、極性切換信号に応じて、正極期間では被選択端子ａに供給された信号を選択して出力し、負極期間では被選択端子ｂに供給された信号を選択して出力するマルチプレクサ」が開示されている。
　
（５）　刊行物には、「【００３７】…マルチプレクサ１６の出力信号は、Ｄ−Ａコンバータ１７に送られる。【００３８】Ｄ−Ａコンバータ１７は、供給されたデジタル信号をアナログ信号に変換し、…」との記載がある。該記載から、刊行物には、「マルチプレクサから出力されるデジタル信号をアナログ信号に変換する前記Ｄ−Ａコンバータ」が開示されている。
　
（６）　刊行物には、「【００３８】Ｄ−Ａコンバータ１７は、供給されたデジタル信号をアナログ信号に変換し、そのアナログ信号をプッシュプル回路１８に送る。【００３９】プッシュプル回路１８は、前述同様の液晶駆動回路であり、供給されたアナログ信号に応じて後段のアクティブマトリクス型液晶表示素子の液晶部を駆動する表示用画像信号を生成する。この表示用画像信号は、例えば前述した図９と同様のアクティブマトリクス型液晶表示素子（１０６）に供給される。」との記載がある。該記載から、刊行物には、「Ｄ−Ａコンバータの出力を入力し、アクティブマトリクス型液晶表示素子を駆動するプッシュプル回路」が開示されている。
　
（７）　刊行物には、「【０００７】次に、図８はアクティブマトリクス型液晶表示装置の表示素子部の構成を示している。この図８において、当該アクティブマトリクス型液晶表示装置の表示素子部は、複数の画素電極９１をマトリクス状に配列したアクティブマトリクス基板９２と、液晶層９４と、当該液晶層９４を挟むように配された配向膜９３と、透明共通電極を形成した薄板ガラス層９５と、対向電極９６とを積層した積層構成となっている。アクティブマトリクス基板９２上に設けられる画素電極９１は、各々Ｒ（赤），Ｇ（緑），Ｂ（青）の原色信号に対応するように繰り返し配列されている。液晶層９４では、Ｒ，Ｇ，Ｂ各画素に供給する信号電圧に応じて入射光が変調され、各画素電極９１で反射したＲ，Ｇ，Ｂの各出力光を適当な検出手段で強度情報に変換することにより、カラー画像が表示される。」との記載がある。ここで、上記（１）に記載したとおり、「表示素子部」と「アクティブマトリクス型液晶表示素子」は、同じ意味を有する用語であることを考慮すると、刊行物には、「アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有」することが開示されている。
　また、「【０００６】…、各画素ＰＸでは、画素電極と共通電極間の電圧が液晶に印加され、」との記載、「【００２３】ここで、表示用画像信号の中心電位を共通電極電位（ＣＯＭ電位）に一致させることで、アクティブマトリクス型液晶表示素子１０６の液晶部には、交流の画像信号電圧が印加されることになる。」との記載、上記記載事項「４　ク」より、図７には、アクティブマトリクス型液晶表示素子の有効画素領域に配置された複数の表示画素の補助容量の一端が共通に接続され、共通電極（ＣＯＭ）電位が印加されることが描かれていること、液晶表示装置の技術分野において、共通電極に共通電極電位を印加することは技術常識であることから、刊行物には、透明共通電極に共通電極電位を印加することが開示されている。
　してみると、刊行物には、「アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有し、前記透明共通電極に共通電極電位を印加する」ことが開示されている。
　
（８）　刊行物には、「【００３５】第１のＬＵＴ回路１２と第２のＬＵＴ回路１３は、それぞれが液晶の非線形な変調率対印加電圧特性（ＶＴ特性）を補正するためのルックアップテーブル（ＬＵＴ）を備えている。但し、本実施の形態の場合、第１のＬＵＴ回路１２と第２のＬＵＴ回路１３の２つのルックアップテーブルはそれぞれ入出力特性が異なるものであり、例えば正極期間では第１のＬＵＴ回路１２のルックアップテーブルの入出力特性が使用され、負極期間では第２のＬＵＴ回路１３のルックアップテーブルの入出力特性が使用されるようになされている。従って、これら第１のＬＵＴ回路１２と第２のＬＵＴ回路１３の各々のルックアップテーブルの入出力特性は、前記リークを補正する各々の極性に応じた特性となるように設定されている。」との記載、「【００４１】ここで、前述した図１４の（ｂ）によれば、正極期間ではリークによって、実際に液晶表示素子に供給された表示用画像信号よりも低い信号電位となっているため、第１のＬＵＴ回路１２のルックアップテーブルでは、この信号電位の低い分を補正する分も考慮した入出力特性カーブとなされている。【００４２】また、前述した図１４の（ｂ）によれば、負極期間でも同様のリークによって、実際に液晶表示素子に供給された表示用画像信号よりも高い信号電位となるため、第２のＬＵＴ回路１３のルックアップテーブルでは、この信号電位の高い分を補正する分も考慮した入出力特性カーブとなされている。」との記載がある。該記載から、刊行物には、「第１のＬＵＴ回路が備えるルックアップテーブルの入出力特性は、液晶の非線形な変調率対印加電圧特性を補正すると共に、正極期間にリークによる信号電圧の低い分を補正する入出力特性である」ことが開示されている。また、該記載から、刊行物には、「第２のＬＵＴ回路が備えるルックアップテーブルの入出力特性は、液晶の非線形な変調率対印加電圧特性を補正すると共に、負極期間にリークによる信号電圧の高い分を補正する入出力特性である」ことが開示されている。
　
（９）　刊行物には、「【００４３】…、各々のルックアップテーブルの入出力特性を前記リークを補正する各極性に応じた特性となるように設定することにより、図１４の（ｃ）で示した光強度差Ｉ（＋）−Ｉ（−）を無くすことができるため、フリッカレスな液晶表示を実現することができ、…」との記載がある。該記載から、刊行物には、「フリッカレスな液晶表示を実現する」アクティブマトリクス型液晶表示装置が開示されている。
　
５−２　引用発明
　以上のことから、刊行物には、以下の発明が記載されている。
「　アクティブマトリクス型液晶表示素子を備えるアクティブマトリクス型液晶表示装置であって、
　外部から入力されたアナログの画像信号をデジタル信号に変換するＡ−Ｄコンバータと、
　前記Ａ−Ｄコンバータのデジタル信号出力を入力し、その備えるルックアップテーブルのデータ信号を出力する第１のＬＵＴ回路と、
　前記Ａ−Ｄコンバータのデジタル信号出力を入力し、その備えるルックアップテーブルのデータ信号を出力する第２のＬＵＴ回路と、
　前記第１のＬＵＴ回路の出力を非反転バッファを介して被選択端子ａに入力すると共に、前記第２のＬＵＴ回路の出力を反転バッファを介して被選択端子ｂに入力し、極性切換信号に応じて、正極期間では被選択端子ａに供給された信号を選択して出力し、負極期間では被選択端子ｂに供給された信号を選択して出力するマルチプレクサと、
　前記マルチプレクサから出力されるデジタル信号をアナログ信号に変換する前記Ｄ−Ａコンバータと、
　前記Ｄ−Ａコンバータの出力を入力し、前記アクティブマトリクス型液晶表示素子を駆動するプッシュプル回路とを有し、
　前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有し、前記透明共通電極に共通電極電位を印加し、
　前記第１のＬＵＴ回路が備えるルックアップテーブルの入出力特性は、液晶の非線形な変調率対印加電圧特性を補正すると共に、正極期間にリークによる信号電圧の低い分を補正する入出力特性であり、
　前記第２のＬＵＴ回路が備えるルックアップテーブルの入出力特性は、液晶の非線形な変調率対印加電圧特性を補正すると共に、負極期間にリークによる信号電圧の高い分を補正する入出力特性である、
　フリッカレスな液晶表示を実現するアクティブマトリクス型液晶表示装置。」（以下「引用発明」という。）
　
６　対比
　本願発明と引用発明を比較する。
（１）　本願発明の「液晶パネルを備える液晶表示装置」と、引用発明の「アクティブマトリクス型液晶表示素子を備えるアクティブマトリクス型液晶表示装置」であって、「前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有」することを比較する。
　引用発明の「複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有」する「アクティブマトリクス型液晶表示素子」は、本願発明の「液晶パネル」に相当する。してみると、本願発明の「液晶パネルを備える液晶表示装置」と、引用発明の「アクティブマトリクス型液晶表示素子を備えるアクティブマトリクス型液晶表示装置」であって、「前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有」することは、相当関係にある。
　
（２）　本願発明の「前記液晶パネルを構成する複数の液晶セルが共通に接続されたコモン電極に一定のコモン電圧を供給するコモン電圧生成回路」と引用発明の「前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有し、前記透明共通電極に共通電極電位を印加」することを比較する。
　引用発明の「前記アクティブマトリクス型液晶表示素子」は、上記（１）で検討したとおり、本願発明の「液晶パネル」に相当する。また、引用発明の「透明共通電極」は、マトリクス状に配列した複数の画素電極に対して積層されたガラス層に形成されているから、引用発明の「透明共通電極」は、本願発明の「複数の液晶セルが共通に接続されたコモン電極」に相当し、引用発明の「共通電極電位」が本願発明の「コモン電圧」に、それぞれ相当する。
　してみると、本願発明の「前記液晶パネルを構成する複数の液晶セルが共通に接続されたコモン電極に一定のコモン電圧を供給するコモン電圧生成回路」と引用発明の「前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有し、前記透明共通電極に共通電極電位を印加」することは、「前記液晶パネルを構成する複数の液晶セルが共通に接続されたコモン電極にコモン電圧を供給」している点で一致する。
　
（３）本願発明の「外部から入力された映像信号に応じた電圧を前記複数の液晶セルに供給して前記液晶パネルに画像を表示させるとともに、前記複数の液晶セルに供給される電圧の極性を所定の周期で反転させるための制御を行う液晶駆動回路」と、引用発明の「外部から入力されたアナログの画像信号をデジタル信号に変換するＡ−Ｄコンバータと、…非反転バッファを介して被選択端子ａに入力すると共に、…反転バッファを介して被選択端子ｂに入力し、極性切換信号に応じて、正極期間では被選択端子ａに供給された信号を選択して出力し、負極期間では被選択端子ｂに供給された信号を選択して出力するマルチプレクサと、前記マルチプレクサから出力されるデジタル信号をアナログ信号に変換する前記Ｄ−Ａコンバータと、前記Ｄ−Ａコンバータの出力を入力し、前記アクティブマトリクス型液晶表示素子を駆動するプッシュプル回路」であって、「前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有」することを比較する。
　引用発明の「外部から入力されたアナログの画像信号」は、本願発明の「外部から入力された映像信号」に相当する。また、液晶表示素子を駆動する信号が電圧信号であること、該液晶表示素子を駆動する信号を画素に供給して液晶表示素子に画像を表示させることは、何れも技術常識である。さらに、引用発明の「前記第１のＬＵＴ回路の出力を非反転バッファを介して被選択端子ａに入力すると共に、前記第２のＬＵＴ回路の出力を反転バッファを介して被選択端子ｂに入力し、極性切換信号に応じて、正極期間では被選択端子ａに供給された信号を選択して出力し、負極期間では被選択端子ｂに供給された信号を選択して出力するマルチプレクサ」は、反転バッファを介した信号と非反転バッファを介した信号を選択することにより、信号の極性を所定の周期で反転させている。
　してみると、本願発明の「外部から入力された映像信号に応じた電圧を前記複数の液晶セルに供給して前記液晶パネルに画像を表示させるとともに、前記複数の液晶セルに供給される電圧の極性を所定の周期で反転させるための制御を行う液晶駆動回路」と、引用発明の「外部から入力されたアナログの画像信号をデジタル信号に変換するＡ−Ｄコンバータと、前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路と、前記第１のＬＵＴ回路の出力を非反転バッファを介して被選択端子ａに入力すると共に、前記第２のＬＵＴ回路の出力を反転バッファを介して被選択端子ｂに入力し、極性切換信号に応じて、正極期間では被選択端子ａに供給された信号を選択して出力し、負極期間では被選択端子ｂに供給された信号を選択して出力するマルチプレクサと、前記マルチプレクサから出力されるデジタル信号をアナログ信号に変換する前記Ｄ−Ａコンバータと、前記Ｄ−Ａコンバータの出力を入力し、前記アクティブマトリクス型液晶表示素子を駆動するプッシュプル回路」であって、「前記アクティブマトリクス型液晶表示素子は、複数の画素電極をマトリクス状に配列したアクティブマトリクス基板と、液晶層と、当該液晶層を挟むように配された配向膜と、透明共通電極を形成した薄板ガラス層と、対向電極とを積層した積層構成を有」することは、相当関係にある。
　
（４）　本願発明の「前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路と、前記補正回路の後段に設けられた調整部と、を有し、前記調整部は、前記液晶セルに供給される電圧の極性及び振幅に起因する明るさの変動を補正するための特性データを記憶する記憶部を備え、前記補正回路にて補正された映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する」ことと、引用発明の「前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路」であって、「前記第１のＬＵＴ回路が備えるルックアップテーブルの入出力特性は、液晶の非線形な変調率対印加電圧特性を補正すると共に、正極期間にリークによる信号電圧の低い分を補正する入出力特性であり、前記第２のＬＵＴ回路が備えるルックアップテーブルの入出力特性は、液晶の非線形な変調率対印加電圧特性を補正すると共に、負極期間にリークによる信号電圧の高い分を補正する入出力特性であ」り「フリッカレスな液晶表示を実現する」ことを比較する。
（４−１）　はじめに、本願発明の「前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路」と、引用発明の「前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路」であって、「前記第１のＬＵＴ回路が備えるルックアップテーブルの入出力特性は、液晶の非線形な変調率対印加電圧特性を補正する…入出力特性であり、前記第２のＬＵＴ回路が備えるルックアップテーブルの入出力特性は、液晶の非線形な変調率対印加電圧特性を補正する…入出力特性であ」り、「フリッカレスな液晶表示を実現する」ことを比較する。
　ルックアップテーブルが、その記憶したデータにより入出力特性が決まるテーブルであることは、技術常識であることを考慮すると、引用発明の第１、第２のＬＵＴ回路が備えるルックアップテーブルの入出力特性は、液晶の非線形な変調率対印加電圧特性を補正する入出力特性であるから、該ルックアップテーブルは、本願発明の「液晶パネルの入力電圧に対する透過率の関係を示す特性を線形な特性とするための補正データを格納する補正用ルックアップテーブル」に相当する。そうすると、引用発明の「前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路」であって、「前記第１のＬＵＴ回路が備えるルックアップテーブルの入出力特性は、液晶の非線形な変調率対印加電圧特性を補正する…入出力特性であり、前記第２のＬＵＴ回路が備えるルックアップテーブルの入出力特性は、液晶の非線形な変調率対印加電圧特性を補正する…入出力特性であ」り「フリッカレスな液晶表示を実現する」ことは、本願発明の「前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路」に相当する。
（４−２）　次に、本願発明の「前記補正回路の後段に設けられた調整部」であって、「前記調整部は、前記液晶セルに供給される電圧の極性及び振幅に起因する明るさの変動を補正するための特性データを記憶する記憶部を備え、前記補正回路にて補正された映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する」ことと、引用発明の「前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路」であって、「前記第１のＬＵＴ回路が備えるルックアップテーブルの入出力特性は、…、正極期間にリークによる信号電圧の低い分を補正する入出力特性であり、前記第２のＬＵＴ回路が備えるルックアップテーブルの入出力特性は、…、負極期間にリークによる信号電圧の高い分を補正する入出力特性であ」り「フリッカレスな液晶表示を実現する」ことを比較する。
　引用発明の「正極期間にリークによる信号電圧の低い分を補正」し、「負極期間にリークによる信号電圧の高い分を補正」して「フリッカレスな液晶表示を実現する」ことは、本願発明における「前記液晶セルに供給される電圧の極性及び振幅に起因する明るさの変動を補正」し、「前記電圧の極性が正極とされる正極性の映像データに基づく表示画像の明るさと、前記電圧の極性が負極とされる負極性の映像データに基づく表示画像の明るさとを、…調整する」ことに相当する。
　してみると、本願発明の「前記補正回路の後段に設けられた調整部」であって、「前記調整部は、前記液晶セルに供給される電圧の極性及び振幅に起因する明るさの変動を補正するための特性データを記憶する記憶部を備え、前記補正回路にて補正された映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する」ことと、引用発明の「前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路」であって、「前記第１のＬＵＴ回路が備えるルックアップテーブルの入出力特性は、…、正極期間にリークによる信号電圧の低い分を補正する入出力特性であり、前記第２のＬＵＴ回路が備えるルックアップテーブルの入出力特性は、…、負極期間にリークによる信号電圧の高い分を補正する入出力特性であ」り「フリッカレスな液晶表示を実現する」ことは、「前記液晶セルに供給される電圧の極性及び振幅に起因する明るさの変動を補正し」、「前記電圧の極性が正極とされる正極性の映像データに基づく表示画像の明るさと、前記電圧の極性が負極とされる負極性の映像データに基づく表示画像の明るさとを、」「調整する」点で一致する。　
（４−３）　上記（４−１）、（４−２）より、本願発明の「前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路と、前記補正回路の後段に設けられた調整部と、を有し、前記調整部は、前記液晶セルに供給される電圧の極性及び振幅に起因する明るさの変動を補正するための特性データを記憶する記憶部を備え、前記補正回路にて補正された映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する」ことと、引用発明の「前記Ａ−Ｄコンバータのデジタル信号出力を入力し、その備えるルックアップテーブルのデータ信号を出力する第１のＬＵＴ回路と、前記Ａ−Ｄコンバータのデジタル信号出力を入力し、その備えるルックアップテーブルのデータ信号を出力する第２のＬＵＴ回路」であって、「前記第１のＬＵＴ回路が備えるルックアップテーブルの入出力特性は、液晶の非線形な変調率対印加電圧特性を補正すると共に、正極期間にリークによる信号電圧の低い分を補正する入出力特性であり、前記第２のＬＵＴ回路が備えるルックアップテーブルの入出力特性は、液晶の非線形な変調率対印加電圧特性を補正すると共に、負極期間にリークによる信号電圧の高い分を補正する入出力特性であ」り「フリッカレスな液晶表示を実現する」ことは、「前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路を有し、前記液晶セルに供給される電圧の極性及び振幅に起因する明るさの変動を補正し、映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する」点で一致する。
　
　以上のことから、本願発明と引用発明は、
「液晶パネルを備える液晶表示装置であって、
　前記液晶パネルを構成する複数の液晶セルが共通に接続されたコモン電極にコモン電圧を供給し、
　外部から入力された映像信号に応じた電圧を前記複数の液晶セルに供給して前記液晶パネルに画像を表示させるとともに、前記複数の液晶セルに供給される電圧の極性を所定の周期で反転させるための制御を行う液晶駆動回路と、
　前記液晶パネルの入力電圧に対する透過率の関係を示す特性を線形な特性とするための補正データを格納する補正用ルックアップテーブルを備え、前記液晶駆動回路に供給される映像信号を前記補正データに基づいて補正する補正回路を有し、
　前記液晶セルに供給される電圧の極性及び振幅に起因する明るさの変動を補正し、映像信号について、前記電圧の極性が正極とされる正極性の映像データに基づく表示画像の明るさと、前記電圧の極性が負極とされる負極性の映像データに基づく表示画像の明るさとを、前記特性データに基づいて調整する、液晶表示装置。」
の点で一致し、以下の点で相違する。
　
（相違点１）
　「液晶パネルを構成する複数の液晶セルが共通に接続されたコモン電極」に供給する「コモン電圧」が、本願発明では「コモン電圧生成回路」が供給する「一定」のコモン電圧であるのに対し、引用発明では、コモン電圧を供給する回路が明らかでなく、また、コモン電圧が一定の電圧であるのか否か明らかでない点。
　
（相違点２）
　「前記液晶セルに供給される電圧の極性及び振幅に起因する明るさの変動を補正し、映像信号について、前記電圧の極性が正極とされる正極性の映像データに基づく表示画像の明るさと、前記電圧の極性が負極とされる負極性の映像データに基づく表示画像の明るさ」とを、「調整する」構成が、本願発明では、「前記補正回路の後段に設けられた調整部」を有し、「前記調整部は」、「変動を補正するための特性データを記憶する記憶部を備え」、「前記特性データに基づいて調整する」構成であるのに対し、引用発明では、「液晶の非線形な変調率対印加電圧特性を補正する」「前記第１のＬＵＴ回路が備えるルックアップテーブルの入出力特性」が、「正極期間にリークによる信号電圧の低い分を補正する入出力特性」であり、「液晶の非線形な変調率対印加電圧特性を補正する」「前記第２のＬＵＴ回路が備えるルックアップテーブルの入出力特性」が、「極期間にリークによる信号電圧の高い分を補正する入出力特性」である点。
　
以下、上記相違点について検討する。
（相違点１）について
　「液晶パネルを構成する複数の液晶セルが共通に接続されたコモン電極」に供給する「コモン電圧」を、「コモン電圧生成回路」から供給すること、そして、該「コモン電圧」を一定のコモン電圧とすることは、何れも周知の技術手段である。
　したがって、引用発明における「共通電極電位」（「コモン電圧」）として、上記周知の技術手段を採用し、「液晶パネルを構成する複数の液晶セルが共通に接続されたコモン電極」に「コモン電圧生成回路」から「コモン電圧」を供給するよう構成すること、そして、「コモン電圧生成回路」が供給するコモン電圧を「一定」のコモン電圧として、上記（相違点１）に係る本願発明の発明特定事項と為すことは、当業者が容易に想到し得たことである。
　
（相違点２）について
　本願発明と引用発明は、何れも、映像信号を補正することで、「液晶パネルの入力電圧に対する透過率の関係を示す特性を線形な特性とするための補正」と、「液晶セルに供給される電圧の極性及び振幅に起因する明るさの変動」の調整を行っている点で共通する。
　一般に、２つの異なる特性を補正あるいは調整をする際、それぞれの補正値を合成した補正値を１つのルックアップテーブルに格納しておき、該１つのルックアップテーブルを用いて補正すること（以下「前者」という。）と、それぞれの特性を補正する補正値を異なる２つのルックアップテーブルあるいは記憶部に格納しておき、該異なる２つのルックアップテーブルあるいは記憶部を用いて補正あるいは調整すること（以下「後者」という。）は、何れも周知の技術手段である。そして、前者では、ルックアップテーブルが１つであるから構成が小型になるものの、２つの補正値を合成した補正値を１つのルックアップテーブルに格納するから、補正値の修正が複雑になるのに対し、後者では、異なるルックアップテーブルあるいは記憶部を用いるから構成が大型になるものの、それぞれの補正値の修正が容易であることも周知である（特開平５−８０７１３号公報【００６０】の記載を参照。）。
　そうすると、引用発明では、「液晶パネルの入力電圧に対する透過率の関係を示す特性を線形な特性とするための補正」と「液晶セルに供給される電圧の極性及び振幅に起因する明るさの変動」の「調整」を１つのルックアップテーブル（第１、第２のＬＵＴ回路が備えるルックアップテーブル）で行っているところ、「液晶パネルの入力電圧に対する透過率の関係を示す特性を線形な特性とするための補正データ」を格納する「補正用ルックアップテーブル」と、「液晶セルに供給される電圧の極性及び振幅に起因する明るさの変動を補正するための特性データ」を記憶する記憶部をそれぞれ設けることは、当業者が容易に想到し得ることと認められる。そして、その際、「補正用ルックアップテーブル」と「液晶セルに供給される電圧の極性及び振幅に起因する明るさの変動を補正するための特性データ」を記憶する記憶部の何れを前段に配置し、何れを後段に配置するかは、補正に必要な回路規模、補正する特性の種類、補正データを修正する容易さや頻度等を考慮し、当業者が適宜決定し得る設計事項と認められる。（例えば、刊行物に記載された従来の回路（【０００２】〜【００２５】、【図９】〜【図１３】参照）において、「液晶の非線形な変調率対印加電圧特性を補正するためのルックアップテーブル１１４」が、極性反転信号を生成する前段に配置されていることからみて、「液晶の非線形な変調率対印加電圧特性」の補正は、正極性と負極性で共通にすることができる種類の特性の補正である。一方、「液晶セルに供給される電圧の極性及び振幅に起因する明るさの変動」の補正は、正極性と負極性で補正データが異なるから、正極性と負極性で共通にすることができない種類の特性の補正である。そうすると、仮に「液晶セルに供給される電圧の極性及び振幅に起因する明るさの変動を補正するための特性データ」を記憶する記憶部を前段に配置し、「液晶パネルの入力電圧に対する透過率の関係を示す特性を線形な特性とするための補正データ」を格納する「補正用ルックアップテーブル」を後段に配置したとすると、「液晶パネルの入力電圧に対する透過率の関係を示す特性を線形な特性とするための補正データ」を格納する「補正用ルックアップテーブル」として、正極性補正用のルックアップテーブルと、負極性補正用のルックアップテーブルを設けることになるから、回路規模が大きくなるであろうことは当業者が容易に予想し得ることである。してみると、「液晶セルに供給される電圧の極性及び振幅に起因する明るさの変動を補正するための特性データ」を記憶する記憶部を、「液晶パネルの入力電圧に対する透過率の関係を示す特性を線形な特性とするための補正データ」を格納する「補正用ルックアップテーブル」の後段に設けるよう構成することは、補正に必要な回路規模、補正する特性の種類、補正データを修正する容易さや頻度等を考慮し、当業者が適宜決定し得る設計事項と認められる。）
　したがって、引用発明と上記周知の技術手段に基いて、上記（相違点２）に係る本願発明の発明特定事項と為すことは、当業者が容易に想到し得たことと認められる。
　
　以上のとおり、上記（相違点１）、（相違点２）に係る本願発明の発明特定事項と為すことは、何れも、引用発明と周知の技術手段に基いて、当業者が容易に想到することができたものと認める。
　そして、本願発明が奏する作用効果は、引用発明と周知の技術手段から当業者が容易に予測し得るものであって、格別のものとは認められない。
　
　従って、本願発明は、引用発明及び周知の技術手段に基いて当業者が容易に発明をすることができたものである。
　
７　むすび
　以上のとおり、本願発明は、引用発明と周知の技術手段に基いて当業者が容易に発明をすることができたものであるから、特許法第２９条第２項の規定により特許を受けることができない。
　従って、その余の請求項について検討するまでもなく、本願は拒絶すべきものである。
　よって、上記結論のとおり審決する。